(57)【要約】【課題】  その契約内容に応じてウェブサイトの運営者にポイントを付与して、このポイント数に応じて種々のサービス提供を可能にするとともに購買情報を正確に把握できるアフィリエイトシステムを提供する。【解決手段】  アフィリエイト管理サーバ１１がポイント配布手段１３、ポイント監視手段１４、商品購入データ記録手段１６、報酬配布手段１７を備える。ウェブサイト１２の運営者にその契約内容に応じたポイントを配布して、ＥＣサイト１５にリンクされたネットワーク広告をウェブサイト１２が保持するポイントの有無に応じて有効化して、そのネットワーク広告経由の商品購入実績データに基づいてウェブサイト１２の運営者に日払報酬を配布するようにした。【選択図】  図１
2007157004.tif 000002
【特許請求の範囲】
【請求項１】
ウェブサイトの運営者がアフィリエイト管理サーバを介してインターネット上で商品販売を行うＥＣサイトにリンクされたネットワーク広告を掲載し、前記ウェブサイトに訪れたユーザによる前記ネットワーク広告経由の商品購入実績に応じて前記ＥＣサイトから報酬を受け取るアフィリエイトシステムにおいて、
前記アフィリエイト管理サーバが、前記ウェブサイト運営者にその契約内容に応じたポイントを配布するポイント配布手段と、前記ＥＣサイトにリンクされたネットワーク広告を前記ウェブサイトが保持する前記ポイントの有無に応じて有効化するポイント監視手段と、前記ウェブサイトに訪れたユーザによるそのネットワーク広告経由の商品購入実績データを各ＥＣサイトから取得して蓄積する商品購入データ記録手段と、前記商品購入データ記録手段に保持された前記ウェブサイト運営者毎の商品購入データに基づいてウェブサイトの運営者に日払報酬を配布する報酬配布手段と、を備えたことを特徴とするアフィリエイトシステム。
【発明の詳細な説明】
【技術分野】
【０００１】
本発明は、インターネットを利用した商品などの販売、提供の分野に関し、インターネット上に設けられたショッピングサイトと他のサイトの広告主や発行者とが提携して構成されるネットワーク広告取引におけるアフィリエイトシステムに関する。
【背景技術】
【０００２】
インターネットの急速な浸透に伴って、ネットワーク上のサーバにいわゆる仮想店舗や仮想ショッピングモールを構築して、消費者からの注文を受け付ける事業が広範に行われている。例えば、書籍や、ソフトウェア、航空券やコンサートのチケットなどの販売、パックツアーの受け付け、ホテルや旅館の予約申込みなどのサイトが開設されている。
しかし、その商品について消費者からの注文を受け付けて販売するためのショッピングサイトを開設しただけでは、十分な数の消費者の注目を得ることはできない。そこで、インターネットを利用した広告、例えば、一般のウェブページ（ホームページ）内に貼り付けられたバナー広告が広く用いられている。バナー広告の場合、そのウェブページを表示しているインターネットブラウザ上でそのバナー広告をクリックさせることにより、バナー広告にリンクしているショッピングサイトのページに誘導することができる。さらに、ショッピングサイト側において、どのウェブサイトを経由して消費者がそのショッピングサイトにアクセスしてきたか取得できるようにしておく。こうして、ウェブページの開設者に対して、そのウェブサイトを経由してきた消費者によるそのショッピングサイトの売上げに応じた手数料などのコミッションを支払うようにしたアフィリエイトシステムが成立している。
【０００３】
このようなインターネット上のネットワーク広告を介したアフィリエイトサービスの技術に関連して、例えば以下のようなものが開示されている。
特許文献１には、利用者が利用者端末を用いて提携サイト上に設置されたバナー広告により広告主サイトへアクセスした際、広告主ＩＤ、提携サイトＩＤおよび顧客ＩＤを管理サーバの管理ＤＢへ格納しておき、次にこの利用者が広告主サイトへ直接アクセスした場合に、この顧客ＩＤと広告主ＩＤとにより提携サイトＩＤを特定することができるようにしたアクセス経路追跡システムが開示されている。
【０００４】
特許文献２には、広告媒体毎に異なる識別記号を記載した商品広告を雑誌等の広告媒体に出稿するステップと、ネットワークに接続したＷｅｂサーバにおいて顧客端末から前記識別記号を受信したことを条件に購入申込に必要なＷｅｂページのファイルを顧客端末に送信し、顧客端末から購入申込を受信したときに前記識別記号若しくは対応する広告媒体に関連付けて売上情報を記録するステップと、記録された売上情報を前記識別記号毎若しくは対応する広告媒体毎に集計するステップとを有するアフィリエイト広告効果測定方法が記載されている。
【特許文献１】特開２００５−１６５３９４号公報
【特許文献２】特開２００３−２５６６０７号公報
【発明の開示】
【発明が解決しようとする課題】
【０００５】
しかしながら、前記従来のアフィリエイトシステムでは、実際にユーザが商品を買ったか否かの購買情報は広告主側で管理されて依頼者企業が集計して自己申告するものであり、その信頼性を担保できないという問題点があった。これに対し、購買情報の申告を消費者に行わせることも考えられるが、アフィリエイトシステムによるメリットの無い消費者に申告の手間を強制することはできず、アフィリエイトプログラムの実施にあたり、正確な購買情報の取得が困難であるという問題があった。
【０００６】
また、特許文献１に記載のウェブサイトを利用したことがある利用者が広告主サイトへ直接アクセスした場合に管理サーバの管理ＤＢに基づいて提携サイトＩＤを特定するようにしたアクセス経路追跡システムでも、管理サーバの機能を広告主側が負担せねばならない上にそのデータ管理やメンテナンスが煩雑になりシステムエラーなどを生じ易いという問題があった。
【０００７】
とくに、特許文献２に記載の広告媒体毎に異なる識別記号を記載した商品広告を雑誌等の広告媒体に掲載して、ネットワークに接続したＷｅｂサーバにおいて顧客端末から前記識別記号を受信したことを条件に商品取引を行うようにしたアフィリエイト広告効果測定方法では、消費者に識別記号の送信にかかる負荷を強いることになり、販売促進の障害になるという問題があった。また、その契約内容などに応じてウェブサイトの運営者や消費者にポイントを付与し、このポイント数に応じて種々のサービスを提供することで販売促進や顧客の囲い込みが図られているが、現実の店舗などでマイレージサービスやポイント還元システムを実施する場合、消費者を特定するためのポイントカードなどを配布し、これを読み取るカードリーダ等を各店舗に設置する必要があり、多大な投資が必要となるため、このような販売促進手法をとることは困難であった。
【０００８】
本発明はかかる実情に鑑みてなされたもので、その購買情報のデータの信頼性を担保することができ、管理サーバにかかる負担を軽減して、そのデータ管理やメンテナンスを容易にして契約内容に応じてウェブサイトの運営者にポイントを付与して、このポイントに応じて種々のサービス提供を可能にするとともに、ネットワーク広告により誘導された購買情報を正確に把握することを可能としたアフィリエイトシステムを提供することを目的とする。
【課題を解決するための手段】
【０００９】
本発明のアフィリエイトシステムは、ウェブサイトの運営者がアフィリエイト管理サーバを介してインターネット上で商品販売を行うＥＣサイトにリンクされたネットワーク広告を掲載し、前記ウェブサイトに訪れたユーザによる前記ネットワーク広告経由の商品購入実績に応じて前記ＥＣサイトから報酬を受け取るアフィリエイトシステムにおいて、前記アフィリエイト管理サーバが、前記ウェブサイト運営者にその契約内容に応じたポイントを配布するポイント配布手段と、前記ＥＣサイトにリンクされたネットワーク広告を前記ウェブサイトが保持する前記ポイントの有無に応じて有効化するポイント監視手段と、前記ウェブサイトに訪れたユーザによるそのネットワーク広告経由の商品購入実績データを各ＥＣサイトから取得して蓄積する商品購入データ記録手段と、前記商品購入データ記録手段に保持された前記ウェブサイト運営者毎の商品購入データに基づいてウェブサイトの運営者に日払報酬を配布する報酬配布手段と、を備えるように構成されている。
【発明の効果】
【００１０】
本発明によれば、ウェブサイト運営者にその契約内容に応じたポイントを配布して、ＥＣサイトにリンクされたネットワーク広告を前記ウェブサイトが保持する前記ポイントの有無に応じて有効化して、そのネットワーク広告経由の商品購入実績データに基づいてウェブサイトの運営者に日払報酬を配布するので、そのウェブサイトの利用者による購買情報のデータの信頼性を担保することができる。また、そのデータ管理やメンテナンスを容易にして契約内容に応じてウェブサイトの運営者にポイントを付与して、このポイント数に応じて種々のサービスを提供することができる。
【発明を実施するための最良の形態】
【００１１】
本実施形態のアフィリエイトシステムは、ウェブサイトの運営者がアフィリエイト管理サーバを介してインターネット上で商品販売を行うＥＣサイトにリンクされたネットワーク広告を掲載し、前記ウェブサイトに訪れたユーザによる前記ネットワーク広告経由の商品購入実績に応じて前記ＥＣサイトから報酬を受け取るアフィリエイトシステムにおいて、前記アフィリエイト管理サーバが、前記ウェブサイト運営者にその契約内容に応じたポイントを配布するポイント配布手段と、前記ＥＣサイトにリンクされたネットワーク広告を前記ウェブサイトが保持する前記ポイントの有無に応じて有効化するポイント監視手段と、前記ウェブサイトに訪れたユーザによるそのネットワーク広告経由の商品購入実績データを各ＥＣサイトから取得して蓄積する商品購入データ記録手段と、前記商品購入データ記録手段に保持された前記ウェブサイト運営者毎の商品購入データに基づいてウェブサイトの運営者に日払報酬を配布する報酬配布手段と、を備えたことを特徴とする。これによって、ウェブサイトの利用者による購買情報のデータ信頼性を確実に担保することができる。また、ポイント監視手段を有するので、そのアフィリエイト管理サーバに対して提携されたウェブサイト毎に設定されるポイントを介してデータ管理やメンテナンスを容易にして、アフィリエイト管理サーバの運営者に対する負荷を軽減したり、ポイントに応じて種々のサービスを提供することができる。
【００１２】
アフィリエイト管理サーバは、インターネット上に設けられたサーバであって、インターネット上の提携されたウェブサイトと広告主が所有するＥＣサイトとの間をリンク接続するように配設される。
アフィリエイト管理サーバは、その本体内にＣＰＵやメインメモリ等よりなる演算処理部や、演算処理の為のソフトウェアを記憶した記憶手段、これらのデータの入出力部である入出力ポート、ネットワークに接続して他のコンピュータとの通信を制御するネットワークカード等の通信制御手段を備えたコンピュータである。このようなアフィリエイト管理サーバには、ポイント配布手段及び、ポイント監視手段、商品購入データ記録手段、報酬配布手段を備えており、ウェブサイトを訪れた購入者がアフィリエイト管理サーバを介してインターネット上でＥＣサイトとの間で商品販売を行うことができるようにしている。このＥＣサイトにリンクされたネットワーク広告をウェブサイトに掲載し、前記ウェブサイトに訪れたユーザによる前記ネットワーク広告経由の商品購入実績に応じて前記ＥＣサイトから報酬を受け取ることができる。
【００１３】
ポイント配布手段は、アフィリエイト管理サーバに設けられ、ウェブサイトの運営者に対してその契約内容に応じたポイントをインターネットを介して配布する管理機能を有している。これによって、
アフィリエイト管理サーバへのアクセスアップに用いられる他に、ポイント概念の導入により、広告費用を自由に調節することができる。また、アフィリエイトシステムによる売上が上がった場合に、その売上金額に見合ったポイントを支給することができる。なお、売上が上がらなければ広告費用は発生しないという利点を有する。
さらにアフィリエイトシステムによネットワーク広告が掲載されているウェブページが所定回表示されたら所定のポイントを支給することもできる。
【００１４】
ポイント監視手段は、広告主が保持するＥＣサイトにリンクされたネットワーク広告を、ウェブサイトが保持するポイントの有無に応じて有効化する機能を有する。これによって、ポイントを介したネットワーク広告のシステムをアフィリエイト管理サーバを介して効率的に運営することができる。
【００１５】
商品購入データ記録手段は、ウェブサイトに訪れたユーザによるそのネットワーク広告経由の商品購入実績データを各ＥＣサイトから取得して蓄積する機能を有しており、これによって、商品購入実績データの信頼性を確保することができる。
【００１６】
報酬配布手段は、商品購入データ記録手段に保持されているウェブサイト運営者毎の商品購入データに基づいてウェブサイトの運営者に日払報酬を配布するようになっている。これによって、インターネットを介して、日払いという短期間で報酬を提携されたウェブサイトの運営者に提供することができる。
【００１７】
（実施例１）
図１は実施例１のアフィリエイトシステムの構成図である。
図１において、１０は実施例１に係るアフィリエイトシステム、１１はネットワーク広告が表示される各ウェブサイト１２を訪れたユーザによる商品購入実績に応じた情報データなどを管理するためのアフィリエイト管理サーバ、１３は各ウェブサイト１２の運営者毎にその契約内容に応じたポイントを配布するためのポイント配布手段、１４は広告主が運営するＥＣサイト１５にリンクされたネットワーク広告を各ウェブサイト１２が保持するポイントの有無に応じて有効化するためのポイント監視手段、１６はウェブサイト１２を訪れたユーザの利用者端末１８によるネットワーク広告経由の商品購入実績データを各ＥＣサイト１５から取得して蓄積するための商品購入データ記録手段、１７は商品購入データ記録手段１６に保持されたウェブサイト運営者毎の商品購入データに基づいて各ウェブサイト１２の運営者に日払報酬をそれぞれ配布するための報酬配布手段である。
【００１８】
アフィリエイトシステム１０は、図示するようにアフィリエイト管理サーバ１１がネットワーク広告経由の商品購入実績を記録する商品購入データ記録手段１６を備えており、ウェブサイト１２の利用者端末１８による購買情報のデータ信頼性を確実に担保することができる。また、ポイント配布手段１３及びポイント監視手段１４、報酬配布手段１７を有するので、そのアフィリエイト管理サーバ１１に対して提携されたウェブサイト１２毎に設定されるポイントを介して、アフィリエイト管理サーバ１１へのアクセス向上を図ることができるのに加えて、そのデータ管理及び利用者への報酬管理を容易にすることができ、メンテナンス性にも優れている。すなわち、広告提供の場となるウェブサイトに広告を配信し、これに対して利用者端末１８から購買の申込情報を受信し、この申込情報をＥＣサイト側の端末に送信し、申込情報に係る購買が行われた場合に前記ＥＣサイト側の端末から購買情報を受信し、この購買情報に基づいてアフィリエイト料及びポイントを算出し、この算出したポイントについてのポイント情報をウェブサイト側の端末に送信することで、ポイントを効率的に管理することができるようにしている。
【００１９】
（実施例２）
次にこのようなアフィリエイトシステム１０を用いて実施される日払いアフィリエイト広告の運営形態の一例について以下に説明する。アフィリエイトシステム１０における日払いアフィリエイトでは、１円以上からいつでも即日送金可能として送金手数料は何回でも無料としている。なお、個人を特定できる情報は一切必要とせず、契約内容に関する個人情報がアフィリエイト管理サーバ１１から外部及び内部に流出することがないようにセキュリティが予め設定されている。また、アフィリエイト管理サーバ１１の管理下にあり、規約に違反していないウェブサイトであればどのようなウェブサイトでもアフィリエイト管理サーバ１１にアクセスできるようになっている。
また、ＥＣサイト１５の広告主が自動売上承認を設定していれば、即時売上が確定されるようにすることも可能である。さらに、広告主ごとの過去の承認率を公開することでその信頼性を高めることもできる。なお、ＥＣサイト１５の広告主の許可があれば、そのコンテンツ制約を無効にできる機能も有している。
アフィリエイト管理サーバ１１には付加機能として、ワンクリックによるアフィリエイト用ホームページ作成機能、携帯版アフィリエイト、リンク切れチェッカーなどの機能を提供できる他に、無料税理士相談、無料弁護士相談、無料ＨＰ製作相談などのサービスを提供するようにしてもよい。
【００２０】
さらにアフィリエイトシステム１０では、１会員のＩＤで配信できる広告数やサイト数に制限はなく、追加料金も不要とすることができ、売り上げがゼロであってもその管理費を無料として、１日単位でいつでも解約することができる。
こうして、ポイント配布手段１３及びポイント監視手段１４を介したポイント概念の導入によって、広告費用をウェブサイト１２毎の運営者が自由に調節してシステムを弾力的に運営できる。
制約条件が少ないので、個人、自営業、士業（弁護士、税理士等）、週末起業家、自由業、更にアフィリエイト会員も広告主になれるなど、誰でもアフィリエイト広告をアダルトサイトなどのコンテンツによる制約なく配信できる。
【００２１】
アフィリエイト管理サーバ１１はこれら管理機能の操作性、運用性に優れており広告商品ごとの料率設定などが容易である。例えば、以下のような機能を設定することもできる。
・豊富なＣＳＶ出力とメルマガ送信機能
・アフィリエイト会員の１０段階ランク付けと個別の設定
・提携するアフィリエイト会員数の上限と募集の受付中・停止中の設定
・広告主自身による広告素材別のタグの動作確認
・提携・売上確定の一括承認、拒否、解除などの設定
【００２２】
アフィリエイトとは、商品を販売する広告主が、販売に協力してくれる会員（アフィリエイト会員）を募り、アフィリエイト会員が運営するサイトに自ショップの広告を掲載してもらう仕組みである。アフィリエイト会員のサイト経由で商品が売れるなどした場合に、アフィリエイト会員に対して売上の数％の報酬を支払う点が、他の広告と大きく異なる。アフィリエイトシステム１０では、アフィリエイト管理サーバ１１を管理・運用して、ウェブサイト１２の運営者にその報酬の支払などを代行することができることを特徴としている。
ここでは、売上が発生しなければ広告費用は必要ないため、リスクゼロの広告配信が可能となる。
【００２３】
アフィリエイトシステム１０におけるネットワーク広告の種類内容としては以下のものを提供する。
（１）クリック課金型アフィリエイト広告：
広告を１クリックしてくれたら○○ポイント支給するという広告方法である。サイトのアクセスアップに用いられる。
（例１：クリック５ポイントとした場合）広告素材が１クリックされると、アフィリエイト会員に５円が支払われる。消化されなかったポイントは全額返金される。
（２）ページビュー課金型アフィリエイト広告：
広告が掲載されているページが○○回表示されたら○○ポイント支給するという広告方法である。ページビューが多く、広告の露出度重視の場合に適する。
（例２：１００回表示で１００ポイントとした場合）広告素材が１００回表示されると、アフィリエイト会員に１００円が支払われる。
（３）成功報酬固定型アフィリエイト：
資料請求やお問い合わせ、会員登録、売上が上がった場合などに、一定の○○ポイントを支給するアフィリエイトならではの広告方法である。
（例３：３０ポイントとした場合）売上の金額にかかわらず、アフィリエイト会員に３０円が支払われる。なお、売上完了ページにタグを挿入する必要がある。
（４）成功報酬売上換算型アフィリエイト：
売上が上がった場合に、その売上金額の○○％分のポイントを支給するという広告方法である。
（例４：３０％とした場合）１万円の売上があった場合、アフィリエイト会員に３０００円が支払われる。この場合、売上完了ページにタグを挿入する必要がある。
売上が発生しなければ広告費用は必要ないため、リスクゼロの広告配信が可能である。なお、ポイントを保有している間は広告が配信され、ゼロになると停止され、消化されなかったポイントを全額返金され、１日単位でいつでも解約できる。
このようにポイント概念の導入によって広告費用を自由に調節できることに加えて、日払いアフィリエイトの広告主として登録アフィリエイト会員も、日払いアフィリエイトなら広告主になることができ、サイトのアクセス数を確実に伸ばすことができる。
【００２４】
このような利用者が報酬を獲得するまでの流れは以下のようになる。
（１）アフィリエイト会員としてアフィリエ管理サーバ１１に登録する。「提携広告設定」メニュから、希望する広告の「登録」をクリックし、必要な情報を記入する。
（２）ＥＣサイトの広告主から「掲載を承認」の連絡が来る（断わられる場合もある）
（３）承認された広告の「リンク」を確認し、「＜ａｈｒｅｆ＝”」で始まるコードを（１）で入力したＨＰやブログに直接挿入する。
（４）広告がクリックされたり、売上が上がったりすると、ウェブサイトのポイントが増える。現在保有中のポイントは「報酬の支払請求」で１円以上からいつでも請求でき、送金事務手数料完全無料で即日送金することができる。
【００２５】
なおウェブサイト１２のページには、必要に応じてタグを挿入することができる。タグとは、１行程度のごく簡単なプログラムである。このタグには、例えばどのアフィリエイト会員経由から来た人か、いくらの商品を購入したか（あるいは資料請求や会員登録をした人は誰か）を特定するためなどのプログラムが含まれ、広告主の売上確定（あるいは資料請求、会員登録など）のページに設置される。
たとえば、アフィリエイト管理サーバ１１に広告素材を登録すると、そのウェブサイト１２に広告素材が、ＨＴＭＬページの最初（＜ｂｏｄｙ＞タグの直下など）へ挿入される。
【００２６】
以上説明したように本発明のアフィリエイトシステムは、ＥＣサイトにリンクされたネットワーク広告をウェブサイトが保持するポイントの有無に応じて有効化して、そのネットワーク広告経由の商品購入実績データに基づいてウェブサイトの運営者に日払報酬を配布することを要旨としたものであり、これに属するものは本発明の権利範囲である。例えば本実施例では、これによって、そのウェブサイトの利用者による購買情報のデータの信頼性を担保することができる。また、そのデータ管理やメンテナンスを容易にして契約内容に応じてウェブサイトの運営者にポイントを付与して、このポイント数に応じて種々のサービスを提供することができる。
【図面の簡単な説明】
【００２７】
【図１】実施例１のアフィリエイトシステムの構成図である。
【符号の説明】
【００２８】
１０  実施例１のアフィリエイトシステム
１１  アフィリエイト管理サーバ
１２  ウェブサイト
１３  ポイント配布手段
１４  ポイント監視手段
１５  ＥＣサイト
１６  商品購入データ記録手段
１７  報酬配布手段
１８  利用者端末
【図１】
2007157004.tif 000003